(57)【特許請求の範囲】
【請求項１】
対物レンズを通過した被写体像を接眼レンズを介して観察するカメラのファインダー構造において、
対物レンズの後方に配置されファインダー光軸上に挿脱可能に設けられた第１の接眼レンズと、
前記第１の接眼レンズと異なる焦点距離を有し、ファインダー光軸上に挿脱可能に設けられた第２の接眼レンズと、
第１及び第２の接眼レンズを折り曲げ自在に連結する連結部材と、
前記第１及び第２の接眼レンズをカメラの水平方向にスライド自在に支持し、前記第１の接眼レンズ及び第２の接眼レンズの何れか一方を択一的にファインダー光軸上に進出させ他方をファインダー光軸上から退避させる接眼レンズ切替手段であって、第２の接眼レンズをファインダー光軸上に進出させた際に前記第１の接眼レンズをカメラの前後方向に折り曲げて退避させる接眼レンズ切替手段と、
を備えたことを特徴とするカメラのファインダー構造。
【請求項２】
レンズ交換が可能なカメラに適用されるファインダー構造であって、
該カメラに着脱可能な第１の撮影レンズ用の前記第１の接眼レンズと、
該カメラに着脱可能な第２の撮影レンズ用の前記第２の接眼レンズと、
撮影レンズの交換動作と連動し、装着された撮影レンズ用の接眼レンズを前記ファインダー光軸内に進出させる前記接眼レンズ切替手段と、
を備えたことを特徴とする請求項１のカメラのファインダー構造。
【請求項３】
前記第１の撮影レンズ用の画面フレームを規定する第１の光像枠及び前記第２の撮影レンズ用の画面フレームを規定する第２の光像枠が形成されたレチクル板と、
撮影レンズの交換動作と連動して駆動され、カメラに装着された撮影レンズ用の光像枠が見えるように他方の光像枠を遮閉する切替マスク部材と、を備え、
カメラに装着された撮影レンズに応じて前記接眼レンズ切替手段を介して接眼レンズを切り替えるとともに、前記接眼レンズ切替手段によって前記切替マスク部材を駆動して視野内のフレームの切り替えを行うようにしたことを特徴とする請求項２のカメラのファインダー構造。
【請求項４】
フイルム上に露光する撮影コマの画面サイズを、第１のサイズと、該第１のサイズをフイルム進行方向に伸長した第２のサイズとに切替自在なカメラに組み込まれ、
前記第１のサイズ用の画面フレームを規定する第３の光像枠及び前記第２のサイズ用の画面フレームを規定する第４の光像枠が形成された第２のレチクル板と、
画面サイズを指定する画面設定手段の操作部材と連動して駆動され、前記第３及び第４の光像枠のうち、設定された画面サイズ用の光像枠が見えるように他方の光像枠を遮閉する第２の切替マスク部材と、
を備えたことを特徴とする請求項３のカメラのファインダー構造。
【請求項５】
採光窓から取り入れた光によって画面フレームを示す光像枠を視野内に浮かび上がらせ、対物レンズを通過した被写体像を前記光像枠とともに接眼レンズを介して観察する採光式ブライトフレームファインダーに適用されるカメラのファインダー構造において、
対物レンズの後方に配置されファインダー光軸上に挿脱可能に設けられた第１の接眼レンズと、
前記第１の接眼レンズと異なる焦点距離を有し、前記第１の接眼レンズと並列に配置されファインダー光軸上に挿脱可能に設けられた第２の接眼レンズと、
前記第１及び第２の接眼レンズをカメラの水平方向にスライド自在に支持し、前記第１の接眼レンズ及び第２の接眼レンズの何れか一方を択一的にファインダー光軸上に進出させ他方をファインダー光軸上から退避させる接眼レンズ切替手段であって、第１の接眼レンズをファインダー光軸上に進出させた際に第２の接眼レンズを採光光学系の後方のスペースに退避させる接眼レンズ切替手段と、
を備え、
前記第１及び第２の接眼レンズは連結部材を介して折り曲げ自在に連結され、
前記接眼レンズ切替手段は、第２の接眼レンズをファインダー光軸上に進出させた際に前記第１の接眼レンズと第２の接眼レンズとの連結部をカメラの前後方向に折り曲げて第１の接眼レンズを退避させるように構成されていることを特徴とするカメラのファインダー構造。
【発明の詳細な説明】
【０００１】
【発明の属する技術分野】
本発明はカメラのファインダー構造に係り、特に、撮影レンズの焦点距離に応じてファインダー倍率等を変更することができるカメラのファインダー構造に関する。
【０００２】
【従来の技術】
従来、カメラのファインダー光学系を構成するレンズの一部を光軸に沿って前後移動自在に構成し、撮影レンズの焦点距離の変更に連動して前記レンズの一部を前後移動させて撮影画角と合致した視野を接眼レンズを通して観察できるようにしたズームファインダーが知られている。
【０００３】
また、実公平６−２２８２８号公報には、対物レンズの背後に焦点距離が異なる望遠撮影時用接眼レンズと広角撮影時用接眼レンズとを対物レンズからの距離が順に遠くなる位置に選択的に挿脱させる接眼レンズ切換機構が開示されている。
【０００４】
【発明が解決しようとする課題】
しかしながら、ファインダー光学系のレンズの一部を光軸に沿って精度よく前後移動させる手段は機構が複雑になるという問題がある。また、実公平６−２２８２８号公報に開示された接眼レンズ切換機構は、望遠撮影時用接眼レンズと広角撮影時用接眼レンズとをファインダー光軸上の異なる位置にそれぞれ精度よく位置させなければならず機構が複雑であり、各接眼レンズをそれぞれ異なる経路でファインダー光軸上に挿脱させているのでレンズの可動エリアが大きく、光学系の収納スペース（特に、カメラの厚み方向の寸法）が大型化するという欠点がある。
【０００５】
本発明はこのような事情に鑑みてなされたもので、撮影レンズの焦点距離に応じてファインダー倍率を簡易な機構によって変更することができるカメラのファインダー構造を提供することを目的とする。
【０００６】
【課題を解決する為の手段】
本発明は前記目的を達成する為に、対物レンズを通過した被写体像を接眼レンズを介して観察するカメラのファインダー構造において、対物レンズの後方に配置されファインダー光軸上に挿脱可能に設けられた第１の接眼レンズと、前記第１の接眼レンズと異なる焦点距離を有し、ファインダー光軸上に挿脱可能に設けられた第２の接眼レンズと、第１及び第２の接眼レンズを折り曲げ自在に連結する連結部材と、前記第１及び第２の接眼レンズをカメラの水平方向にスライド自在に支持し、前記第１の接眼レンズ及び第２の接眼レンズの何れか一方を択一的にファインダー光軸上に進出させ他方をファインダー光軸上から退避させる接眼レンズ切替手段であって、第２の接眼レンズをファインダー光軸上に進出させた際に前記第１の接眼レンズをカメラの前後方向に折り曲げて退避させる接眼レンズ切替手段と、を備えたことを特徴としている。
【０００７】
本発明によれば、第１の接眼レンズと第２の接眼レンズとを折り曲げ自在に連結するとともに、カメラの水平方向にスライド自在に設け、一方の接眼レンズをファインダー光軸内から退避させる際に、カメラの前後方向に折り曲げて退避させている。かかる構成により、簡単な機構で撮影レンズの焦点距離に合わせて接眼レンズを切り替えることができ、撮影レンズの焦点距離に適したファインダー倍率に変更することができるとともに、カメラの横方向の寸法を小さくすることができる。
【０００８】
更に、撮影レンズの交換に連動して接眼レンズを切り替えるとともに、視野内のフレーム切替を行ってファインダー倍率を変更することにより、両者の相互作用によって撮影画角に合致した見やすいファインダー像を観察することが可能になる。
また、本発明は前記目的を達成する為に、採光窓から取り入れた光によって画面フレームを示す光像枠を視野内に浮かび上がらせ、対物レンズを通過した被写体像を前記光像枠とともに接眼レンズを介して観察する採光式ブライトフレームファインダーに適用されるカメラのファインダー構造において、対物レンズの後方に配置されファインダー光軸上に挿脱可能に設けられた第１の接眼レンズと、前記第１の接眼レンズと異なる焦点距離を有し、前記第１の接眼レンズと並列に配置されファインダー光軸上に挿脱可能に設けられた第２の接眼レンズと、前記第１及び第２の接眼レンズをカメラの水平方向にスライド自在に支持し、前記第１の接眼レンズ及び第２の接眼レンズの何れか一方を択一的にファインダー光軸上に進出させ他方をファインダー光軸上から退避させる接眼レンズ切替手段であって、第１の接眼レンズをファインダー光軸上に進出させた際に第２の接眼レンズを採光光学系の後方のスペースに退避させる接眼レンズ切替手段と、を備え、前記第１及び第２の接眼レンズは連結部材を介して折り曲げ自在に連結され、前記接眼レンズ切替手段は、第２の接眼レンズをファインダー光軸上に進出させた際に前記第１の接眼レンズと第２の接眼レンズとの連結部をカメラの前後方向に折り曲げて第１の接眼レンズを退避させるように構成されていることを特徴としている。
【０００９】
採光式ブライトフレームファインダーは、採光窓から取り入れた光で光像枠を浮き上がらせ、その光像枠と対物レンズを通過した被写体像とを重ね合わせている。即ち、対物レンズと接眼レンズとを結ぶファインダー光軸の他に、採光窓から取り入れた光をファインダー光軸の重畳位置まで導く採光光学系が存在しており、採光光学系を収納する空間が必要とされている。
【００１０】
本発明は、かかる採光光学系の後方のスペースを利用するものであり、第１の接眼レンズと第２の接眼レンズとをカメラの水平方向にスライド自在に設け、第２の接眼レンズをファインダー光軸上から退避させる際に採光光学系の後方のスペースに退避させている。
これにより、簡単な機構で撮影レンズの焦点距離に合わせて接眼レンズを切り替えることができ、また、カメラの横方向の寸法を小さくすることができる。特に、第１の接眼レンズと第２の接眼レンズとを折り曲げ自在に連結し、第１の接眼レンズをファインダー光軸上から退避させる際に、カメラの前後方向に折り曲げて退避させることにより、カメラの横方向の寸法を一層小さくすることができる。
【００１１】
【発明の実施の形態】
以下添付図面に従って本発明に係るカメラのファインダー構造の好ましい実施の形態について詳説する。
図１は、本発明を用いたカメラの正面外観図である。カメラ１本体の前面略中央部には撮影レンズ２が着脱自在に装着され、レンズ交換によって撮影レンズ２の焦点距離を変更することができる。レンズマウントには、例えば、バヨネットマウントが採用され、着脱ボタン４を押しながらレンズ鏡胴６を回すとレンズをカメラ１本体から取り外すことができるようになっている。
【００１２】
このカメラ１には、焦点距離９０ｍｍの撮影レンズと焦点距離４５ｍｍの撮影レンズの２種類のレンズを装着することができる。尚、焦点距離はこれらに限定されない。
また、カメラ１の前面にはファインダー対物窓８、採光窓１０、及び距離計窓１２が設けられ、距離計窓１２の左側にはＩＳＯダイヤル１４が回動自在に配設されている。尚、同図中、符号１６はセルフランプ、符号１７はフラッシュのシンクロコードを差し込むシンクロターミナルである。
【００１３】
図２は、カメラ１の上面外観図である。レンズ鏡胴６の周面には、絞りリング１８、距離リング２０が回動自在に設けられ、絞りリング１８の回動操作によって絞り調節を行い、距離リング２０の回動操作によってピント調整を行うことができる。
カメラ１の上面には、レリーズボタン２２、メインダイヤル２４、シャッター速度設定ダイヤル２６、フイルムカウンター（残量表示部）２８、ホットシュー３０が設けられている。
【００１４】
メインダイヤル２４は、モード選択ダイヤル兼メインスイッチであり、「ＯＦＦ」の位置から該ダイヤルを回動操作することでメインスイッチがオンするとともに、撮影モードをシングルモード（Ｓ）、連写モード（Ｃ）、連写スローモード（ＣＳ）、セルフモードに設定することができる。
また、このメインダイヤル２４は露出補正ダイヤル（フラコンダイヤル）を兼ねており、中央のボタン２４ａを押しながら該ダイヤルを回すと、０．５のステップで±２ＥＶの露出補正を設定できる。
【００１５】
このカメラ１は絞り優先の自動露出制御機能を備えており、シャッター速度設定ダイヤル２６を「オート」に設定しておくと、ＴＴＬ測光に基づいてシャッター速度を自動的に制御するようになっている。尚、シャッター速度設定ダイヤル２６の中央のボタン２６ａは設定ロック／解除ボタンである。
フイルムカウンター２８には液晶表示器が用いられ、フイルムの残り撮影可能枚数を表示するようになっている。残量の検出方法としては、例えば、プリワインド時にパーフォレーションの総数ｎを検出し、一コマ給送毎に（この場合、一コマ巻戻し毎に）パーフォレーション数を計数し、残りのパーフォレーション数を一コマ当たり必要なパーフォレーション数で除算することでフイルム残数を把握できる。
【００１６】
具体的には、フイルムパトローネの装填直後に予備巻き上げを行い、パーフォレーションの総数を検出してフイルムの長さを検出する。そして、レリーズ動作によりフイルムの露光が行われる毎に、当該撮影コマの画面サイズに対応するフイルム給送量（標準サイズの場合は８パーフォレーション、パノラマサイズの場合は１４パーフォレーション）でフイルムをパトローネ内に巻き戻し、撮影可能なフイルムの全長（総パーフォレーション数）から上記フイルム給送量分（８又は１４パーフォレーション）を減算し、フイルムの残り長さを算出する。
【００１７】
このフイルム残り長さを１コマ分のフイルム給送量（８又は１４パーフォレーション）で除算し、各画面サイズでの撮影可能枚数を求める。こうして得られた撮影可能枚数がフイルムカウンター２８に表示される。また、パノラマサイズでの撮影可能枚数を表示する場合には、パノラマサイズ相当の残量表示であることを明示する為に表示される数字の左上に「Ｐ」なる文字を同時に表示する。
【００１８】
尚、フイルムカウンター２８には、次に撮影される画面サイズによる撮影可能枚数のみを表示するようにしてもよいし、撮影者が表示切替ボタン（不図示）を操作して選択した画面サイズでの撮影可能枚数を表示するようにしてもよい。
図３は、カメラ１の背面側の外観図である。カメラ１の背面には、ファインダー接眼部３２、画面切替つまみ３４及び液晶表示部３６が設けられている。尚、符号３８はフイルム確認窓である。
【００１９】
画面切替つまみ３４は、標準（ノーマル）サイズとパノラマサイズの２種のプリントアスペクト比に対応して画面パターンを切り換えるための操作部材である。画面切替つまみ３４は、軸３４ａを中心に回動自在であり、標準（Ｎ）、パノラマ（Ｐ）の各画面サイズに対応する２か所の停止位置のうち、何れか１つの位置に選択的に設定される。
【００２０】
液晶表示部３６には、日付、バッテリー残量、設定されたモード等を示す情報が表示される。尚、液晶表示部３６の下方には、オートブラケットモード選択スイッチ（ＡＥＢＳＷ）４０、ＥＬスイッチ（ＥＬＳＷ）４１、及び途中巻戻しスイッチ（ＭＵＳＷ）４２が設けられている。
オートブラケットモード選択スイッチ４０は、適正、アンダー、オーバ、と露出を変えて連続して３枚の撮影を行う撮影モードに設定するためのボタンである。また、ＥＬボタン４１は液晶表示部３６のバックライトの点灯／消灯を操作するスイッチである。
【００２１】
カメラ１の裏蓋４４は、図３中右側部の図示せぬヒンジを介して開閉可能であり、カメラ側面の蓋開放レバー（不図示）を操作すると裏蓋４４のロックが解除され、フイルムを装填、交換できるようになっている。当該カメラ１に用いられるフイルムは、例えば、周知の３５ｍｍフイルムであり、カメラ１のパトローネ室内には、パトローネの壁面に形成されたカメラ自動感知コード（ＤＸコード）を検知するための検知ピン（不図示）が設けられている。ＩＳＯダイヤル１４が「ＤＸ」にセットされている場合には、前記検知ピンを介して自動感知したＤＸコードに基づいてＩＳＯ感度情報が読み込まれるようになっている。
【００２２】
また、図には示されていないが、カメラ１の底面にはバッテリーカバーが開閉自在に設けられ、該バッテリーカバーを開けることによって電源用の電池を装填、交換できるようになっている。
図４は、図１に示したカメラに組み込まれたファインダーの光学系の構成を示す平面図である。このカメラ１は距離計連動式カメラであり、採光窓式ブライトフレームファインダーが採用されている。
【００２３】
カメラ１のファインダー部は、測距用ミラー４６、測距用ダハプリズム４８、測距用対物レンズ５０、採光ミラー５２、採光用プリズム５４、レチクル群５６、ターゲットレンズ群５８、凸の対物レンズ６０、プリズム６２、ｆ＝４５ｍｍ用接眼レンズ群６４（第１の接眼レンズに相当）、ｆ＝９０ｍｍ用接眼レンズ群６６（第２の接眼レンズに相当）等の光学系から成る。前記プリズム６２には半透過コート（ハーフコート）６２ａが施されている。
【００２４】
距離計の連動機構については、図示されていないが、周知の如くレンズ鏡胴６の後端部に距離リング２０の回動操作に応じて光軸方向に進退するリングが設けられるとともに、カメラ側に前記リングに当接するローラを有したレバーが設けられ、前記リングの進退動作に連動して前記レバーが光軸の前後方向に揺動するようになっている。
【００２５】
そして、このレバーの動きによって測距用対物レンズ５０を光軸と直交する方向（図４中上下方向）に移動させて距離計像を移動させるとともに、レチクル群５６の移動枠を斜め移動させてパララックス補正をしている。レチクル群５６の構成については後述する（図７）。
このように、レンズ鏡胴６の距離リング２０を回動操作することにより、撮影レンズ２がヘリコイドにより光軸方向に前後移動するとともに、測距用対物レンズ５０が移動し、ファインダー接眼部３２を通して観察されるファインダーのスプリットイメージの上下像の合致具合が変化する。そして、上下像が合致した位置（距離計像とファインダー像とが一致した位置）で撮影レンズ２が合焦位置に設定されることになる。
【００２６】
２つの接眼レンズ群６４、６６は、それぞれレンズ枠６８、７０に保持されており、両レンズ枠６８、７０は互いに連結ピン７２を介して回動自在に連結されている。レンズ枠６８、７０の連結部分にはバネ７４が設けられ、該バネ７４の力によってレンズ枠６８は連結ピン７２を中心に図４中時計回り方向に付勢され、レンズ枠７０は連結ピン７２を中心に反時計回り方向に付勢される。
【００２７】
また、各レンズ枠６８、７０の上部にはそれぞれボス６８ａ、７０ａが突設されており、各ボス６８ａ、７０ａは、接眼レンズ群６４、６６の上方に配設されたプレート７８のガイド溝７８ａ、７８ｂにそれぞれ挿入される（図５参照。両接眼レンズ群６４、６６は前記ボス６８ａ、７０ａとガイド溝７８ａ、７８ｂとで構成するガイドに規制されて移動可能になっている。
【００２８】
接眼レンズ群６４、６６をスライドさせる機構について詳しくは後述するが、ｆ＝４５ｍｍの撮影レンズ２が取付けられた場合には、図４中実線で示したように、４５ｍｍ用接眼レンズ群６４がプリズム６２と接眼窓７６の間に配置され、９０ｍｍ用の接眼レンズ群６６は４５ｍｍ用接眼レンズ群６４の左横、ターゲットレンズ群５８の後方のスペースに退避する。尚、同図では、９０ｍｍ用の接眼レンズ群６６はターゲットレンズ群５８の後方のスペースに退避する場合が示されているが、９０ｍｍ用の接眼レンズ群６６の退避位置は、これに限らず、採光窓１０からプリズム６２の半透過コート（ハーフコート）６２ａに至る採光光学系の後方のスペースであればよい。
【００２９】
他方、ｆ＝９０ｍｍの撮影レンズ２が取付けられた場合には、９０ｍｍ用接眼レンズ群６６がプリズム６２と接眼窓７６の間（ファインダー光軸上）に進出し、４５ｍｍ用接眼レンズ群６４は図４中二点鎖線で示したように連結ピン７２を中心に時計回り方向に回動して折り曲げ状態でカメラ１の側部に退避する。
次に、接眼レンズ群の切替機構について説明する。
【００３０】
図５は、接眼レンズ群の切替機構の平面図である。図４で説明したプリズム６２及び接眼レンズ群６４、６６の上方を覆うように平板状のプレート７８が配設され、該プレート７８には、接眼レンズ群６４、６６の移動を案内するガイド溝７８ａ、７８ｂが形成される。ガイド溝７８ａは略Ｌ字状に形成され、このガイド溝７８ａに４５ｍｍ用接眼レンズ群６４のレンズ枠６８のボス６８ａが係合している。他方、ガイド溝７８ｂは直線状に形成され、このガイド溝７８ｂに９０ｍｍ用接眼レンズ群６６のレンズ枠７０のボス７０ａが係合している。
【００３１】
プレート７８には、主として４つの連結部材が支持されている。第１連結部材８０はプレート７８の軸７８ｃに回動自在に支持されている。第１連結部材８０は１つのアーム部８０ａと２つの連結ピン８０ｂ、８０ｃを有し、アーム部８０ａの長穴８０ｄにはレンズ枠６８のボス６８ａが係合している。また、第１連結部材８０にはバネ掛けピン８０ｅが形成されており、このバネ掛けピン８０ｅにバネ８２の一端が掛けられている。該バネ８２の他方の端部はプレート７８に形成されたバネ掛けピン７８ｄに掛けられている。第１連結部材８０が図５中実線で示す位置（４５ｍｍ位置）にあるとき、前記バネ８２は第１連結部材８０を反時計回り方向に付勢して連結ピン７２をガイド溝７８ａの左端に押し付け、４５ｍｍ用接眼レンズ群６４を観察位置に位置決めする。
【００３２】
また、第１連結部材８０が図５中二点鎖線で示す位置（９０ｍｍ位置）に回動すると、前記バネ８２は第１連結部材８０を時計回り方向に付勢して９０ｍｍ用接眼レンズ群６６のボス７０ａをガイド溝７８ｂの右端に押し付け、９０ｍｍ用接眼レンズ群６６を観察位置に位置決めする。
第２連結部材８４は略Ｌ字形状に形成され、プレート７８の軸７８ｅに回動自在に支持される。この第２連結部材８４は先端部がコの字状に形成され、該先端部が前記第１連結部材８０の連結ピン８０ｄと係合される。また、第２連結部材８４は後述する第６連結部材９４の先端部９４ａと係合されており、第６連結部材９４に連動して、軸７８ｅを中心に回動するようになっている。
【００３３】
第３連結部材８６はプレート７８に形成された軸７８ｆに回動自在に支持され、軸７８ｆを支点とする長短２つの腕部を有している。その長い方の腕部に形成された長穴８６ａには第１連結部材８０の連結ピン８０ｃが係合され、短い方の腕部に形成された穴８６ｂには、第４連結部材８８の連結ピン８８ａが係合している。
【００３４】
第４連結部材８８は、長穴８８ｂ、８８ｃを有し、これら長穴８８ｂ、８８ｃにプレート７８の連結ピン７８ｇ、７８ｈがそれぞれ挿入される。第４連結部材８８は、前記長穴８８ｂ、８８ｃと連結ピン７８ｇ、７８ｈにガイドされて図中上下方向にスライド可能であり、第３連結部材８６の回動に連動して第４連結部材８８が上下移動するようになっている。
【００３５】
また、この第４連結部材８８の中央側部にはレバー部８８ｄが形成されており、このレバー部８８ｄが後述するレチクル群５６の４５ｍｍ／９０ｍｍ切替枠１１０と係合し、レンズ交換に応じて４５ｍｍ／９０ｍｍ切替枠１１０をスライドさせる。
図６は、接眼レンズ群の切替機構の正面側の要部構成図である。同図に示すように撮影レンズ２を装着するマウントの右側部には、上下方向に移動可能な第５連結部材９１と、該第５連結部材９１とピン９２を介して回動自在に連結された第６連結部材９４とが設けられている。
【００３６】
第５連結部材８１は上下方向に長い長穴９１ａ、９１ｂを有し、これらの長穴９１ａ、９１ｂにカメラ本体のピン９６、９７がそれぞれ挿入される。そして、前記長穴９１ａ、９１ｂとピン９６、９７から成るガイドに沿って第５連結部材９１は図５中上下方向に移動可能となっている。この第５連結部材９１の下端部にはフック９１ｃが形成され、該フック９１ｃと前記ピン９６との間に引張バネ９８が渡されている。この引張バネ９８のバネ力によって第５連結部材９１は図中上方に向けて付勢される。
【００３７】
また、前記第５連結部材９１の中央左側部には突起片９１ｄが形成されている。一方、ｆ＝９０ｍｍの撮影レンズ２の鏡胴の後端部周面には前記突起片９１ｄに係合する爪９９が形成されている。尚、同図ではレンズ鏡胴６は省略され、爪９９のみが示されている。
カメラ１のマウントにｆ＝９０ｍｍの撮影レンズ２の鏡胴が着座され、右ネジ方向に締め込まれると、前記爪９９が第５連結部材９１の突起片９１ｄを押し下げ、第５連結部材９１は、図６中二点鎖線で示すように下方に移動する。
【００３８】
他方、ｆ＝４５ｍｍの撮影レンズの鏡胴には、前述のような爪９９が形成されておらず、カメラ１のマウントにｆ＝４５ｍｍのレンズ鏡胴を取り付けた場合には、図６中実線で示したように第５連結部材９１は上方に移動する。
この第５連結部材９１にピン９２を介して連結される第６連結部材９４は、カメラ本体の軸１００に回動自在に支持されており、前記第５連結部材９１の上下方向の移動に連動して前記軸１００を中心に揺動する。第６連結部材９４の先端部９４ａはカメラ後方に向かって略９０度折り曲げられ、この折り曲げ形成された先端部９４ａが図５で示した第２連結部材８４と係合している。
【００３９】
次に、レチクル群の構成について説明する。
図７は、図４に示したレチクル群５６の構成を示す図である。レチクル群５６は、同図中下から順に、保持枠１０２、移動枠１０４、レチクル板１０６、標準／パノラマ切替枠（以下、ＮＰ切替枠という。）１０８、４５ｍｍ／９０ｍｍ切替枠１１０、及び押さえ枠１１２から成る。
【００４０】
保持枠１０２は、移動枠１０４やレチクル板１０６等を保持する部材であり、カメラ１本体に固定される。移動枠１０４は撮影レンズ２の前後移動に応じて自動パララックス補正の動きをする部材であり、保持枠１０２に形成された長穴１０２ａ、１０２ｂとピン１１４、１１５とで構成するガイドによって斜め方向（画面の対角方向）に移動可能に案内されている。
【００４１】
この移動枠１０４は、バネ１１８によって図７中右斜め上方向に付勢されるとともに、移動枠１０４の左下隅部は、撮影レンズ２の繰り出しに連動して水平移動するレバー１２０と係合しており、前記レバー１２０の移動に連動して前記ピン１１４、１１５と長穴１０２ａ、１０２ｂから成るガイドに規制されて図７中斜め方向に移動する。
【００４２】
レチクル板１０６には、ｆ＝４５ｍｍの撮影レンズ用の枠を規定する光像枠、ｆ＝９０ｍｍの撮影レンズ用の枠を規定する光像枠、標準サイズ用の枠を規定する光像枠及びパノラマサイズ用の枠を規定する光像枠が形成されており、このレチクル板１０６は、ピン１２２、１２３によって前記移動枠１０４に固定されている。
【００４３】
ＮＰ切替枠１０８は、長穴１０８ａ、１０８ｂとピン１２５、１２６とから成るガイドによって図中左上がりの斜め方向に案内されるとともに、長穴１０８ｃに係合されるピン１２８の上下方向の動きによりレチクル遮蔽の切り替えをする。尚、ピン１２８の駆動機構については後述する（図８）。
４５ｍｍ／９０ｍｍ切替枠１１０は、長穴１１０ａ、１１０ｂとピン１２５、１２６とで構成するガイドによって案内されるとともに、図５で説明した第４連結部材８８のレバー部８８ｄと係合される。そして、第４連結部材８８のレバー部８８ｄの動き（図７中左右方向の動作）によってレチクル遮蔽の切り替えをする。
【００４４】
押え枠１１２は、レチクル板１０６、ＮＰ切替枠１０８、及び４５ｍｍ／９０ｍｍ切替枠１１０の３枚の部材を移動枠１０４との間に挟み込んで固定するものであり、ピン１２５、１２６によって移動枠１０４に取付けられる。尚、押さえ板１１２の略中央にはスプリットイメージを観察する測距窓１１２ａが形成されている。
【００４５】
かかる構成により、カメラ１のレンズマウントに装着された撮影レンズ２の種別に応じて４５ｍｍ／９０ｍｍ切替枠１１０が移動するとともに、標準／パノラマの画面サイズ切り替えに応じてＮＰ切替枠１０８が移動して撮影条件に合致した光像枠だけが見えるようになっている。また、レンズ鏡胴６の距離リング２０の操作に連動して移動枠１０４が移動し、パララックス補正が行われる。
【００４６】
続いて、標準／パノラマの画面サイズの切替手段について説明する。
図８は、画面切替つまみ３４周辺のカメラ１内部構成を示す図である。図中符号１３０は画面切替つまみ３４の軸３４ａに固設された回動部材である。回動部材１３０の下側には第１の標準／パノラマ連結レバー（以下、第１ＮＰ連結レバーという。）１３２が長穴１３２ａとピン１３４にガイドされて水平方向（図中左右方向）にスライド自在に設けられている。
【００４７】
第１ＮＰ連結レバー１３２は連結ピン１３６を介して前記回動部材１３０と連結されており、画面切替つまみ３４の回動操作によって回動部材１３０が軸３４ａを中心に回動することによって、第１ＮＰ連結レバー１３２が図中左右方向に移動する。
第１ＮＰ連結レバー１３２の底面部に形成された爪１３２ｂは後述するアパーチュア切替機構の第２の標準／パノラマ連結レバー（以下、第２ＮＰ連結レバーという。）１８０に係合しており、画面切替つまみ３４の操作力をアパーチュア切替機構の駆動力として伝達するようになっている。
【００４８】
前記回動部材１３０の右側に図７で説明した保持枠１０２に保持されたレチクル群５６が配置され、レチクル群５６の右側にレチクル駆動機構１４０が設けられている。
レチクル駆動機構１４０は、主として、支柱１４２、昇降部材１４４、ピン１２８等から構成される。支柱１４４の上下両端部は保持枠１０２に支持され、該支柱１４２に昇降部材１４４が上下方向に移動自在に支持されている。この昇降部材１４４の上部は前記ピン１２８が固設されており、該ピン１２８は保持枠１０２の穴１０２ｃを介してレチクル群５６のＮＰ切替枠１０８の長穴１０８ｃに係合している（図７参照）。
【００４９】
また、この昇降部材１４４はバネ１４６によって図８中下方に付勢されるとともに、昇降部材１４４の下端部にはピン１４８がねじ込まれており、昇降部材１４４の底部にピン１４８の先端が突出した状態になっている。
前記ピン１４８の先端は前記バネ１４６の力によって第１ＮＰ連結レバー１３２の右端部に当接しており、第１ＮＰ連結レバー１３２のスライドに伴い、該第１ＮＰ連結レバー１３２の斜面部１３２ｃの作用によって昇降部材１４４が上下動するようになっている。尚、ピン１４８の先端部は半球状に形成され、第１ＮＰ連結レバー１３２の斜面部１３２ｃ及び平坦部１３２ｄとの滑り摩擦の低減が図られている。
【００５０】
かかる構成によって、図８中実線で示したパノラマ設定では、ピン１４８の先端が第１ＮＰ連結レバー１３２の平坦部１３２ｄに乗り上げ、昇降部材１４４は上方に位置する。一方、画面切替つまみ３４を図８中時計回転方向に回動操作して、標準サイズに設定すると、図中二点鎖線で示したように、第１ＮＰ連結レバー１３２が左方向にスライドし、昇降部材１４４の底部のピン１４８は斜面部１３２ｃに沿って下降する。こうして、昇降部材１４４が下方に移動し、該昇降部材１４４に固設されたピン１２８が下方向に駆動される。
【００５１】
このように、画面切替つまみ３４の回動位置に応じて昇降部材１４４が上下移動し、該昇降部材１４４に固設したピン１２８が上下駆動される。このピン１２８の駆動力によってレチクル群５６のＮＰ切替枠１０８が移動する。
更に、第１ＮＰ連結レバー１３２の左上部には金属接片板１５０がビス１５２を介して固定されている。この金属接片板１５０は、板バネの如く折り曲げ成形されており、その弾性力によって金属接片板１５０の先端部は電気回路基板１５４に向けて付勢されている。
【００５２】
従って、画面切替つまみ３４の回動操作に連動して第１ＮＰ連結レバー１３２が図中左右方向にスライドすると、電気回路基板１５４に接触する金属接片板１５０の接続点が切り替わり、標準／パノラマの画面サイズの設定を電気的に検出することができる。
次に、アパーチュア切替機構について説明する。
【００５３】
図９はアパーチュア切替機構の構成を示す図である。撮影レンズ２の後方には、パノラマサイズのコマを露光する為の開口窓１６０を有したアパーチュア枠１６２が配置され、このアパーチュア枠１６２の左側に図示せぬパトローネ室、右側にスプール室とがそれぞれ設けられる。尚、前記開口窓１６は、例えは６５ｍｍ×２４ｍｍの横長の長方形状に形成される。
【００５４】
アパーチュア枠１６２の左側部には、開口窓１６０に対して進退自在な第１遮光枠１６４が設けられ、アパーチュア枠１６２の右側部には、開口窓１６０に対して進退自在な第２遮光枠１６６、及び第３遮光枠１６８が設けられている。
第１遮光枠１６４は長穴１６４ａ、１６４ｂを有し、これら長穴１６４ａ、１６４ｂとアパーチュア枠１６２に突設されたピン１７０、１７１にガイドされて、図中左右方向にスライド可能となっている。
【００５５】
同様に、第２遮光枠１６６はピン１７３、１７４と長穴１６６ａ、１６６ｂにガイドされ左右方向にスライドに支持され、第３遮光枠１６８はピン１７６、１７７と長穴１６８ａ、１６８ｂにガイドされ左右方向にスライド自在に支持される。
アパーチュア枠１６２の上部には、第２ＮＰ連結レバー１８０がピン１８２、１８３と長穴１８０ａ、１８０ｂにガイドされ、図中左右方向にスライド自在に支持される。この第２ＮＰ連結レバー１８０は図８で説明した第１ＮＰ連結レバー１３２と爪１３２ｂを介して連結されており、第１ＮＰ連結レバー１３２の移動に連動して左右方向に移動する。
【００５６】
また、第２ＮＰ連結レバー１８０にはクリック穴１８０ｃが形成されており、第２ＮＰ連結レバー１８０のスライド移動によってクリックボールがクリック穴１８０ｃに嵌入して第２ＮＰ連結レバー１８０のガタツキを抑制するようになっている。
第２ＮＰ連結レバー１８０と第１遮光枠１６４とは第１枠レバー１８６によって連結されている。第１枠レバー１８６は、軸１８７に回動自在に支持されており、第１枠レバー１８６の上部先端は第２ＮＰ連結レバー１８０のピン１８０ｄと係合され、下端は第１遮光枠１６４のピン１６４ｃと係合される。
【００５７】
前記第１枠レバー１８６の上部先端にはフック１８６ａが形成され、このフックとアパーチュア枠１６２のピン１６２ａの間に引張バネ１８８が渡されている。この引張バネ１８８は、第１枠レバー１８６を図中反時計回転方向に付勢しており、第１遮光枠１６４は開口窓１６０の内側に進出させる方向（標準サイズの枠位置方向）に力が加えられている。
【００５８】
第２ＮＰ連結レバー１８０の右端は略９０度下方に延出した腕部１８０ｄが設けられ、該腕部１８０ｄは連結ピン１９０を介して第２枠レバー１９２と連結されている。第２枠レバー１９２は、アパーチュア枠１６２の右上隅部に設けられた軸１６２ｂに回動自在に支持されるとともに、連結ピン１９４を介して第３遮光枠１６８と連結されている。
【００５９】
また、第２枠レバー１９２の先端（図９中下端）は、第２遮光枠１６６の右下隅部に突設されたピン１６６ｃと係合される。
第２遮光枠１６６の長穴１６６ａが形成されたガイド部先端にはフック１６６ｄが形成され、該フック１６６ｄとアパーチュア枠１６２の左下隅部に突設されたピン１６２ｃとの間に引張バネ１９８が渡されている。この引張バネ１９８によって第２遮光枠１６６は図中左方向に付勢され、第２遮光枠１６６及び第３遮光枠１６８は共に開口窓１６０内に進出する方向（標準サイズの枠位置方向）に力が加えられている。
【００６０】
かかる構成により、画面切替つまみ３４をパノラマ側に設定すると、図９の実線で示したように第１ＮＰ連結レバー１３２は図中右寄りの位置に移動し、これに連動して１８０は引張バネ１８８、１９８の付勢力に抗して右方向に移動し、クリックボールがパノラマ用のクリック穴に係合した位置で停止する。
この動きによって、第１遮光枠１６４は開口窓１６０の外側に退避し、第２、第３遮光枠１６６、１６８は、互いに重なり合って、開口窓１６０の外側に退避する。こうして、アパーチュア枠１６２の開口窓１６０で規定されるパノラマ画角の露光開口が画成される。
【００６１】
このように、第２、第３遮光枠１６６、１６８を重ねて退避させるようにしたので、１枚の遮光枠で構成する場合に比べて、カメラの横方向の寸法を小さくすることができる。
画面切替つまみ３４を標準側に設定すると、図９の二点鎖線で示したように第１ＮＰ連結レバー１３２は図中左寄りの位置に移動する。このとき、クリック穴１８０ｃからクリックボールが外れ、引張バネ１８８、１８９のバネ力が解放される。このバネ力によって、第１遮光枠１６４が図中右方向にスライドして、開口窓１６０の左側の領域に図中二点鎖線で示す位置（標準位置）まで進出するとともに、第２、第３遮光枠１６６、１６８も図中左方向にスライドして、開口窓１６０の右側の領域に図中二点鎖線で示す位置（標準位置）まで進出する。
【００６２】
この時、第２遮光枠１６６は第３遮光枠１６８よりも多く左方向にスライドし、第２遮光枠１６６と第３遮光枠１６８とが共働して開口窓１６０の右側部を遮光する。このように、第１乃至第３遮光板１６４、１６６、１６８がアパーチュア枠１６２の開口窓１６０の内側に張り出した状態となり、第１遮光枠１６４の右端面、第２遮光枠１６６の左端面、及び開口窓１６０の上下２辺によって通常サイズのコマを露光するための露光開口が画成される。通常サイズのコマは、例えば、３６ｍｍ×２４ｍｍの横長四辺形状となる。
【００６３】
尚、クリック穴１８０ｃは標準サイズ用とパノラマサイズ用の２つ設けられているが、パノラマ時の方がバネ力が大きいことに配慮して穴の径を変えることで操作力量を調節することもできる。
次に、カメラの電気的構成について説明する。
図１０はカメラの電気的構成の概略を示すブロック図である。このカメラ１は、電源用バッテリー２０２、ＤＣ／ＤＣコンバータ２０４、及び周辺電源供給回路２０６から成る電源系、メインダイヤル等各種の操作入力部２０８、及び中央処理装置（ＣＰＵ）２１０等から構成され、カメラ１の動作は前記ＣＰＵ２１０によって総括的に制御される。
【００６４】
ＤＣ／ＤＣコンバータ２０４はＣＰＵ２１０に制御され、バッテリー２０２の電源電圧を所定の電圧値に変換する。ＤＣ／ＤＣコンバータ２０４の出力は、電圧検出回路２１２、Ｅ2 ＰＲＯＭ２１４、周辺電源供給回路２０６等に導かれる。電圧検出回路２１２は、ＤＣ／ＤＣコンバータ２０４から加えられる電圧値を検出し、その検出結果をＣＰＵ２１０に通知する。
【００６５】
周辺電源制御回路２０６はＣＰＵ２１０によって制御され、フイルムＰＲ（フォトリフレクタ）検出回路２１６、チャージＰＲ検出回路２１８、及び測光回路２２０に対して電源を供給する。
操作入力部２０８の操作スイッチには、裏蓋４４の開閉状態を示すアトブタスイッチ、メインダイヤル２４、ＡＥＢＳＷ４０、ＥＬＳＷ４１、レリーズボタンの半押しを示すＳ1 、ケーブルレリーズ、途中巻戻しスイッチ４２、パノラマ／ノーマル切替スイッチ（ＰＮＳＷ）、セルフスイッチ、ＩＳＯダイヤル１４、シャッター速度設定ダイヤル２６、露出補正ダイヤル（フラコンダイヤル）、ＤＸ検知等がある。
【００６６】
ＣＰＵ２１０は操作入力部２０８から入力する信号に基づいてシャッター制御回路２２２、モータ制御回路２２４、ＥＬ制御回路２２６及び液晶表示部（ＬＣＤ）２２８の液晶パネル等を制御するとともに、Ｅ２ＰＲＯＭ２１４に書き込まれたシーケンスプログラムに従い、写真撮影に必要な一連の動作を制御する。また、ＣＰＵ２１０はこれらの動作制御の為に、フイルムＰＲ検出回路２１６、チャージＰＲ検出回路２１８、及び測光回路等２２０等の検出系から得られる信号を参照する。
【００６７】
フイルムＰＲ検出回路２１６は、フイルムのパーフォレーションを検出するフォトセンサを含み、該フォトセンサは、パトローネ室とスプール室との間のフイルム搬送路中の適当な位置に配置され、パーフォレーションの通過に応じて信号を出力する。
フイルムＰＲ検出回路２１６は、フォトセンサの出力信号の変化をカウントすることでパーフォレーションの通過を検知し、フイルムの給送又は巻き戻し時のフイルム移動量を検出する。尚、フォトセンサからの出力信号がハイからロウ、ロウからハイと２回変化することが１パーフォレーションの通過に相当する。
【００６８】
そして、この検出結果がフイルムＰＲ検出回路２１６からＣＰＵ２１０に通知され、フイルムの移動量が把握される。例えば、通常サイズのコマの長さを８パーフォレーションとし、パノラマサイズのコマの長さを１４パーフォレーションとする。
チャージＰＲ検出回路２１８は、シャッターの機械的位置を光学的に検出し、シャッターが所定のチャージ位置にセットされているか否かをチェックするためのものである。
【００６９】
測光回路２２０は、ＣＰＵ２１０によって制御され、撮影レンズ２を介してカメラ内に入射する光をシャッター幕の手前に配設した受光素子の受光信号に基づいて測光し、測光結果をＣＰＵ２１０に通知する。
シャッター制御回路２２２は、シャッター速度設定ダイヤル２６の設定、測光回路２２０からの測光データに基づいてシャッタ２３０の開閉を制御するとともに、符号２４０で示したシンクロターミナル又はホットシューの発光タイミングを調整する。
【００７０】
モータ制御回路２２４は、バッテリー２０２から電源の供給を受けるとともに、ＣＰＵ２１０からの制御信号に基づいてフイルム搬送用のモータ（フイルムモータ）２３２及びフォーカルプレンシャッタのシャッタ幕を駆動するチャージモータ２３４を制御する。
ＥＬ制御回路２２６は、ＣＰＵ２１０からの制御信号に基づいて液晶表示部３６のバックライト（ＥＬ）２３６の点灯／消灯を行うものである。尚、ＥＬ制御回路２２６及びバックライト２３６はバッテリー２０２から直接電源の供給を受けている。
【００７１】
その他、ＣＰＵ２１０は液晶表示部３６の表示制御を行うとともに、セルフランプやファインダー内の発光ダイオード（ＬＥＤ）２４２の点灯制御を行う。尚、発光ダイオードの電源はバッテリー２０２から供給される。
次に、上記の如く構成されたカメラの作用について説明する。
カメラ１のマウントにｆ＝９０ｍｍの撮影レンズ２の鏡胴を装着すると、図６で説明したようにレンズ鏡胴６の爪９９が第５連結部材９１の突起片９１ｄを押し下げ、第５連結部材９１は、図６中二点鎖線で示すように下方に移動する。そして、この第５連結部材９１の下降動作に連動して第６連結部材９４が軸１００を中心に反時計回り方向に揺動し、図５に示した第２連結部材８４を図５中時計回り方向に回動させる。
【００７２】
第２連結部材８４の腕部先端は連結ピン８０ｂを介して第１連結部材８０と連結されているので、第２連結部材８４が時計回り方向に回動すると、第１連結部材８０が時計回り方向に回動する。これにより、第１連結部材８０のアーム部８０ａが図中二点鎖線で示す位置（９０ｍｍ位置）に移動し、４５ｍｍ用接眼レンズ群６４及び９０ｍｍ用接眼レンズ群６６はガイド溝７８ａ、７８ｂに沿って右方向にスライドする。
【００７３】
このとき、４５ｍｍ用接眼レンズ群６４を保持したレンズ枠６８のボス６８ａはＬ字状のガイド溝７８ａに規制され、カメラの前方方向に折り曲げられてファインダー光軸から退避する。このように折り曲げ退避させたことで、折り曲げずに両接眼レンズ群の並列方向に平行移動させる場合に比べてカメラの横方向の寸法を小さくすることができる。
【００７４】
他方、９０ｍｍ用接眼レンズ群６６はガイド溝７８ｂに沿って図中左方向に平行移動し、ファインダー光軸内に進出する。こうして、９０ｍｍ用の接眼レンズに切り替えられる。
また、ｆ＝９０ｍｍのレンズ装着動作によって、図５に示した第４連結部材８８が図５中下方向に移動し、第４連結部材８８のレバー部８８ｄによって、図７で説明した４５ｍｍ／９０ｍｍ切替枠１１０が駆動される。４５ｍｍ／９０ｍｍ切替枠１１０が移動することによって、図１１（ａ）、（ｂ）に示すようにファインダーには９０ｍｍ用のフレーム２６０が表れ、該フレーム２６０の内側に画面切替つまみ３４の選択に応じた画面サイズのフレーム２６２が表示される。
【００７５】
図１１には、９０ｍｍレンズ装着時に接眼部から観察される視野例が示され、同図（ａ）はパノラマサイズの無限遠、同図（ｂ）はパノラマサイズの至近（１ｍ）の様子である。
画面切替つまみ３４の操作によってパノラマサイズが選択されると、図８で説明したように第１ＮＰ連結レバー１３２は図８中実線で示した左寄りの位置に移動し、昇降部材１４４のピン１４８は第１ＮＰ連結レバー１３２の平坦部１３２ｄに乗り上げる。
【００７６】
従って、昇降部材１４４に固設したピン１２８によって図７に示したＮＰ切替枠１０８が図７中左斜め上方向に移動し、ファインダーには図１１（ａ）、（ｂ）のようなパノラマ用のフレーム２６２が表示される。
レンズ鏡胴６の距離リング２０を回動操作すると図７で説明したように移動枠１０４がレバー１２０によって対角方向に移動し、図１１（ａ）、（ｂ）に示したように距離に合わせて自動的にパララックス補正をするようになっている。
【００７７】
一方、画面切替つまみ３４の操作によって標準サイズが選択されると、図８で説明したように第１ＮＰ連結レバー１３２は図８中二点鎖線で示した右寄りの位置に移動し、昇降部材１４４のピン１４８は第１ＮＰ連結レバー１３２の斜面部１３２ｃに沿って下降する。
従って、昇降部材１４４に固設したピン１２８によって図７に示したＮＰ切替枠１０８が図７中右斜め下方向に移動し、ファインダーには図１２（ａ）、（ｂ）のような標準用のフレーム２６４が表示される。
【００７８】
図１２（ａ）は標準サイズの無限遠、同図（ｂ）は標準サイズの至近（１ｍ）の様子を示すものであり、レンズ鏡胴６の距離リング２０の回動操作に連動して自動パララックス補正の動きが行われる点は図１１（ａ）、（ｂ）の例と同様である。
続いて、カメラ１のマウントにｆ＝４５ｍｍの撮影レンズ２の鏡胴を装着した場合を説明する。
【００７９】
ｆ＝４５ｍｍの撮影レンズ２の鏡胴には、図６に示した第５連結部材９１と係合する爪９９が形成されていないため、カメラ１のマウントにｆ＝４５ｍｍのレンズを装着した場合には、図６中実線で示したように第５連結板９１は上方に移動する。
そして、この第５連結部材９１の上昇動作に連動して第６連結部材９４が軸１００を中心に時計回り方向に揺動し、図５に示した第２連結部材８４を図５中反時計回転方向に回動させる。
【００８０】
第２連結部材８４が反時計回り方向に回動すると、第１連結部材８０が反時計回り方向に回動し、第１連結部材８０のアーム部８０ａが図中実線で示す位置（４５ｍｍ位置）に移動する。この動作によって、４５ｍｍ用接眼レンズ群６４及び９０ｍｍ用接眼レンズ群６６はガイド溝７８ａ、７８ｂに沿って左方向にスライドし、４５ｍｍ用接眼レンズ群６４がファインダー光軸内に進出するとともに、９０ｍｍ用接眼レンズ群６６はガイド溝７８ｂに沿って図中左方向に平行移動し、ファインダー光軸内から退避する。このとき、９０ｍｍ用接眼レンズ群６６はターゲットレンズ群５８の後方のスペースに退避する。こうして、４５ｍｍ用の接眼レンズに切り替えられる。
【００８１】
このように、４５ｍｍ用接眼レンズ群６４及び９０ｍｍ用接眼レンズ群６６を並列に連結し、両者のスライド経路を一部重複させたことによって、レンズの可動エリアを省スペース化することができる。
また、ｆ＝４５ｍｍのレンズ装着動作によって、図５に示した第４連結部材８８が図５中上方向に移動し、第４連結部材８８のレバー部８８ｄによって、図７で説明した４５ｍｍ／９０ｍｍ切替枠１１０が駆動される。４５ｍｍ／９０ｍｍ切替枠１１０が移動することによって、図１３（ａ）、（ｂ）に示すようにファインダーには４５ｍｍ用のフレーム２６６が表れ、該フレーム２６６の内側に画面切替つまみ３４の選択に応じた画面サイズのフレーム２６８が表示される。
【００８２】
図１３、図１４には、４５ｍｍレンズ装着時に接眼部から観察される視野例が示され、図１３（ａ）はパノラマサイズの無限遠、同図（ｂ）はパノラマサイズの至近（０．７５ｍ）、図１４（ａ）は標準サイズの無限遠、同図（ｂ）は標準サイズの至近（０．７５ｍ）の様子を示すものである。
画面切替つまみ３４による画面サイズの設定によって表示されるフレームが切り替わる点、及びレンズ鏡胴６の距離リング２０の操作に連動して自動パララックス補正の動きが行われる点は図１１、図１２で説明した例と同様である。
【００８３】
続いて、カメラの制御手順について説明する。
図１５は、カメラの動作制御の流れを示すフローチャートである。主電源が投入されカメラ動作がスタートすると（ステップＳ１０）、ハードウエアの初期化処理が行われ（ステップＳ１２）、Ｅ2 ＰＲＯＭ２１４から初期データの読み込みを行う（ステップＳ１４）。次いでＲＡＭの容量確認（ステップＳ１６）とバッテリーチェック処理が実行される（ステップＳ１８）。
【００８４】
バッテリーチェックの結果、エネルギー残量が所定の値に満たないと判断した場合（バッテリーＮＧ）には、警告或いはカメラ動作の停止などの処理に移行し、エネルギー残量が所定の値以上と判断した場合（バッテリーＯＫ）には、液晶表示部３６を点灯する（ステップＳ２０）とともに、５分タイマーのカウントを開始する。
【００８５】
次いで、カメラの各種入力スイッチの状態の読み込み処理を行う（ステップＳ２２）。具体的には、先ず、メインダイヤル２４が変化したか否かが判別される（ステップＳ２４）。メインダイヤル２４が操作されてモード設定内容が変更されると、その設定に応じたモード設定処理が実行される（ステップＳ２６）。そして、モード設定処理後に５分タイマーにリセットをかける（ステップＳ６６）。ステップＳ６６で、５分タイマーをリセットした後、処理はステップＳ２２に戻る。
【００８６】
他方、ステップＳ２４において、メインダイヤル２４のモード設定に変化がない場合には、続いてメインダイヤルがＯＦＦされているか否かを確認する（ステップＳ２８）。メインダイヤル２４がＯＦＦされた場合には、処理はステップＳ７０に飛ぶ。ステップＳ７０以後の処理については後述する。
ステップＳ２８においてメインダイヤル２４がＯＮの場合は、続いてアトブタスイッチの変化の有無が判断される（ステップＳ３０）。アトブタスイッチはフイルム装填の有無を検知するものであり、パトローネ室にフイルムパトローネが装填されている場合には該スイッチがＯＮし、パトローネ未装填の状態では該スイッチがＯＦＦとなる。
【００８７】
アトブタスイッチの変化があった場合にはアトブタスイッチ処理に移り（ステップＳ３２）、そのスイッチ状態に応じた処理がなされる。即ち、アトブタスイッチＯＦＦの場合はアトブタ検知フラグを０にするとともに、フイルム未装填である旨を液晶表示部３６に警告表示し、シャッター動作等のカメラ動作を禁止する。
【００８８】
他方、アトブタスイッチＯＮの場合はアトブタ検知フラグを１にして、カメラ動作を許容する。ステップＳ３２のアトブタスイッチ処理が終了すると、処理はステップＳ６６に進む。
ステップＳ３０でアトブタスイッチの変化がない場合、次いで、シャッター半押しを示すＳ1 の変化の有無が判別される（ステップＳ３４）。レリーズボタン２２が所定量押圧操作されると、Ｓ1 がＯＮし、Ｓ1 処理に移行する（ステップＳ３６）。このＳ1 処理では、測光、シャッターの開閉、一コマ給送を含む一連の撮影動作が実行される。Ｓ1 処理が終了すると、処理はステップＳ６６に進む。
【００８９】
ステップＳ３４でＳ1 に変化が無い場合は、次いでケーブルレリーズの変化の有無が判別される（ステップＳ３８）。ケーブルレリーズがＯＮすると、ケーブルレリーズ処理に移行し（ステップＳ４０）、上記Ｓ1 処理（ステップＳ３６）と同様に一連の撮影動作が実行される。そして、所定の動作実行後に、処理はステップＳ６６に進む。
【００９０】
ステップＳ３８でケーブルレリーズに変化が無い場合は、次いでＥＬＳＷ４１の変化の有無が判別される（ステップＳ４２）。ＥＬＳＷ４１が押圧操作された場合には、ＥＬＳＷ処理に移行し（ステップＳ４４）、液晶のバックライトの点灯／消灯制御が行われる。即ち、ＥＬＳＷ４１のＯＮ操作に応じてバックライトと点灯させるとともに、点灯後一定時間経過後にバックライトを消灯させる。尚、ＥＬＳＷ４１のＯＦＦ操作に応じてバックライトを消灯させてもよい。ＥＬＳＷ処理が終了すると、処理はステップＳ６６に進む。
【００９１】
ステップＳ４２でＥＬＳＷに変化が無い場合は、次いでＭＵＳＷ４２の変化の有無が判別される（ステップＳ４６）。ＭＵＳＷ４２が押圧操作された場合には、ＭＵＳＷ処理に移行し（ステップＳ４８）、フイルムの強制巻戻しが行われる。ＭＵＳＷ処理が終了すると処理はステップＳ６６に進む。
ステップＳ４６でＭＵＳＷに変化が無い場合は、次いでＡＥＢＳＷ４０の変化の有無が判別される（ステップＳ５０）。ＡＥＢＳＷ４０が押圧操作された場合には、ＡＥＢＳＷ処理に移行し（ステップＳ５２）、オートブラケットモードの設定が行われる。ＡＥＢＳＷ処理が終了すると処理はステップＳ６６に進む。
【００９２】
ステップＳ５０でＡＥＢＳＷに変化が無い場合は、次いでＰＮＳＷの変化の有無が判別される（ステップＳ５４）。ＰＮＳＷが押圧操作された場合には、ＰＮＳＷ処理に移行する（ステップＳ５６）。ＰＮＳＷ処理について詳しくは後述するが（図１７）、選択された画面サイズに応じた各種の処理が行われる。
ステップＳ５４でＰＮＳＷに変化が無い場合は、次いでフラコンダイヤルの変化の有無が判別される（ステップＳ５８）。フラコンダイヤルが回動操作された場合には、フラコンダイヤル処理に移行し（ステップＳ６０）、選択されたフラコンシフト量が設定される。フラコンダイヤル処理が終了すると処理はステップＳ６６に進む。
【００９３】
ステップＳ５８でフラコンダイヤルに変化が無い場合は、次いでシャッター速度設定ダイヤル（ＳＳダイヤル）２６の変化の有無が判別される（ステップＳ６２）。ＳＳダイヤルが操作されると、ＳＳダイヤル処理に移行し（ステップＳ６４）、選択されたシャッター速度が設定される。ＳＳダイヤル処理が終了すると処理はステップＳ６６に進み、５分タイマーをリセットした後、処理はステップＳ２２に戻る。
【００９４】
ステップＳ６２でＳＳダイヤルの変化が無い場合には、次いで５分タイマーのカウントを確認し、５分経過したか否かが判別され（ステップＳ６８）、５分に満たない場合、処理はステップＳ２２に戻る。他方、ステップＳ６８において５分経過が確認された場合、又は上述のステップＳ２８でメインダイヤルのＯＦＦが判別された場合、起動スイッチａのオフ状態を確認してから（ステップＳ７０）、再起動の為の条件セットを行う（ステップＳ７２）。
【００９５】
起動スイッチａとは、Ｓ1 、ケーブルレリーズスイッチ、ＭＵＳＷ、及びＥＬＳＷをいい、ステップＳ７０ではこれら全てのスイッチがオフであることを確認してから、ステップＳ７２に進むことになる。
また、ステップＳ７２でセットされる起動条件とは、メインダイヤル２４がＯＦＦの状態からの起動については、メインダイヤル２４ＯＮ、アトブタスイッチＯＮ、ＭＵＳＷ４２ＯＦＦの３つが起動条件となり、スタンバイ状態からの起動については、上記３条件に加えてＳ1 、ケーブルレリーズスイッチ、ＭＵＳＷ４２、及びＥＬＳＷ４１のうちの何れか一つがＯＮ（起動スイッチａがＯＮ）することが起動条件となる。
【００９６】
ステップＳ７２において起動条件セットが終了すると、ＥＬ及びＬＣＤを消灯して（ステップＳ７４）、制御動作が停止する（ステップＳ７６）。
図１６には、図１５に示したステップＳ７６における停止状態からの起動処理の流れが示されている。
ストップ状態からの再起動には、全てのスイッチ状態の読み込みを実行して（ステップＳ８０）、図１５のステップＳ７２でセットした起動条件が成立しているか否かの判別を行う（ステップＳ８２）。
【００９７】
図１５に示したステップＳ２８でメインダイヤル２４ＯＦＦを受けてストップ状態となった場合は、メインダイヤルＯＦＦからの起動条件の成立の可否が判断される。他方、メインダイヤルＯＮのまま５分経過を受けてストップ状態となった場合には、スタンバイからの起動条件の成立の可否が判断される。
対応する起動条件が成立した場合には、ＬＣＤを点灯するとともに（ステップＳ８４）、５分タイマーのカウントを開始して処理は図１５に示したステップＳ２２に戻る。他方、ステップＳ８２において対応する起動条件が成立しない場合は処理は図１５に示したステップＳ７０に戻り、停止状態が維持される（ステップＳ７６）。
【００９８】
続いて、図１５に示したＰＮＳＷ処理のサブルーチンについて説明する。
図１７は、ＰＮＳＷ処理の流れを示すフローチャートである。ＰＮＳＷ処理が開始されると（ステップＳ１００）、先ず、画面切替つまみ３４に対応するＰＮＳＷが中立状態、即ちパノラマ設定位置と標準設定位置との間の未完全設定状態であるか否かが判別される（ステップＳ１０２）。ＰＮＳＷが中立状態の時は液晶表示部３６に「Ｐ」を点滅表示して画面サイズの設定が確定していない旨の警告を行い（ステップＳ１０４）、処理は図１５のメインルーチンに戻る（ステップＳ１１６）。
【００９９】
ステップＳ１０２において、ＰＮＳＷが中立状態でない場合には、次いでＰＮＳＷで選択設定された画面サイズの判別を行う（ステップＳ１０６）。パノラマサイズが選択されている場合（標準サイズからパノラマサイズに切替た場合）、切替前の標準サイズ（ノーマル）でのフイルム残量が「１枚」か否かを判断する（ステップＳ１０８）。ノーマルでのフイルム残量が１枚であれば、パノラマ撮影を行うことができないと判断し、フイルムカウンター２８に「１」を点滅表示して（ステップＳ１１０）、パノラマ撮影不能である旨の警告を行い、処理は図１５のメインルーチンに戻る（ステップＳ１１６）。
【０１００】
ステップＳ１０８において、ノーマルでのフイルム残量が２枚以上であれば、パノラマ撮影が可能であるので、後述する「Ｎ→Ｐ切替処理」を実行する（ステップＳ１１２）。その後、処理は図１５のメインルーチンに戻る（ステップＳ１１６）。
ステップＳ１０６においてＰＮＳＷが標準サイズ側に設定されている場合（つまり、パノラマからノーマルに切替られた場合）には、後述する「Ｐ→Ｎ切替処理」を実行する（ステップＳ１１４）。その後、処理は図１５のメインルーチンに戻る（ステップＳ１１６）。
【０１０１】
図１８には、画面サイズ切替処理のサブルーチンが示されている。
画面サイズ切替処理がスタートすると（ステップＳ１２０）、先ず、ＰＮＳＷがパノラマ側に設定されたか、標準側に設定されたかの判別を行う（ステップＳ１２２）。パノラマ側に設定されている場合（図１７のステップＳ１１２に示したＮ→Ｐ切替処理に相当）、フォトリフレクタレジスタ（ＰＲreg ）に「６」を設定する（ステップＳ１２４）。フイルムＰＲ検出回路２１６の信号変化は２回で１つのパーフォレーション通過に相当するので、「６」は３パーフォレーションに相当する値である。
【０１０２】
その後、安全タイマーのカウントをスタートするとともに（ステップＳ１２６）、フイルムモータ２３２の巻戻し駆動を開始する（ステップＳ１２８）。尚、安全タイマーは例えば９０秒でタイムアップするように設定される。
フイルムの巻戻し動作中、カメラのＣＰＵ２１０はフイルムＰＲ検出回路２１６からの信号状態の変化を監視し（ステップＳ１３０）、変化毎にＰＲreg の値から１を減算していき（ステップＳ１３２）、ＰＲreg の値が０になるまでステップＳ１３０、Ｓ１３２の処理を繰り返す（ステップＳ１３４）。
【０１０３】
但し、ステップＳ１３０において状態が変化しない場合には、安全タイマーのタイムアップに達したか否かが確認され（ステップＳ１３６）、タイムアップ前ならば処理はステップＳ１３０に戻り、タイムアップの時には処理はステップＳ１３８に進む。
ステップＳ１３６で安全タイマーがタイムアップした場合、又は、フイルムが３パーフォレーション分だけ給送されてＰＲreg の値が「０」になると、フイルムモータ２３２をＯＦＦしてフイルム搬送を終了する（ステップＳ１３８）。そして、該モータ２３２の両極を励磁してブレーキをかけた後（ステップＳ１４０）、モータ２３２への通電を遮断する（ステップＳ１４２）。その後、安全タイマーをリセットして（ステップＳ１４４）、図１５のメインルーチンに戻る（ステップＳ１４６）。
【０１０４】
次に、ステップＳ１２２で標準側に設定されている場合を説明する。ＰＮＳＷがノーマル側に設定された場合は、図１７のステップＳ１１４に示した「Ｐ→Ｎ切替処理」に相当し、この場合、ＰＲreg に１０を設定する（ステップＳ１５０）。「１０」は５パーフォレーションに相当する値である。
その後、安全タイマーのカウントをスタートするとともに（ステップＳ１５２）、フイルムモータ２３２の送り駆動を開始する（ステップＳ１５４）。
【０１０５】
フイルムの送り動作中、カメラのＣＰＵ２１０はフイルムＰＲ検出回路２１６からの信号状態の変化を監視し（ステップＳ１５６）、変化毎にＰＲreg の値から１を減算していき（ステップＳ１５８）、ＰＲreg の値が０になるまでステップＳ１５６、Ｓ１５８の処理を繰り返す（ステップＳ１６０）。
但し、ステップＳ１５６において状態が変化しない場合には、安全タイマーのタイムアップに達したか否かが確認され（ステップＳ１６２）、タイムアップ前ならば処理はステップＳ１５６に戻り、タイムアップの時には処理はステップＳ１６４に進む。
【０１０６】
ステップＳ１６４で安全タイマーがタイムアップした場合、又は、フイルムが５パーフォレーション分だけ巻取リールに巻き取られてＰＲreg の値が「０」になると（ステップＳ１６０）、フイルムモータ２３２をＯＦＦしてフイルム搬送を終了する（ステップＳ１６４）。そして、該モータ２３２の両極を励磁してブレーキをかけた後（ステップＳ１６６）、モータ２３２への通電を遮断する（ステップＳ１６８）。
【０１０７】
その後、ＰＲreg に「４」を設定し（ステップＳ１７０）、安全タイマーをリセットしてから（ステップＳ１７２）、ステップＳ１２６に進む。ステップＳ１２６〜ステップＳ１４８の処理は上述のとおりであり、２パーフォレーション分だけフイルムが巻き戻されることになる。
このように、パノラマから標準に切り替える場合にも、フイルムの位置決めは必ず一方向（フイルム巻戻し方向）の搬送によって行い、フイルム駆動力伝達機構のバックラッシによる搬送誤差やパーフォレーション検出手段の検出誤差の影響を回避している。
【０１０８】
続いて、撮影後の一コマ給送処理について説明する。
図１９には、一コマ給送（一コマ巻戻し）のサブルーチンが示されている。フイルム露光が行われ、一コマ給送処理がスタートすると（ステップＳ１８０）、先ず、ＰＮＳＷがパノラマ／標準の何れに設定されているかを判断する（ステップＳ１８２）。ＰＮＳＷがパノラマ側に設定されている場合には、ＰＲreg に「２８」を設定する（ステップＳ１８４）。「２８」は１４パーフォレーションに相当する値である。
【０１０９】
一方、ステップＳ１８２においてＰＮＳＷがノーマル側に設定されている場合には、ＰＲreg に「１６」を設定する。「１６」は８パーフォレーションに相当する値である。
その後、安全タイマーのカウントをスタートするとともに（ステップＳ１８８）、フイルムモータ２３２の巻戻し駆動をスタートする（ステップＳ１９０）。
【０１１０】
フイルムの送り動作中、カメラのＣＰＵ２１０はフイルムＰＲ検出回路２１６からの信号状態の変化を監視し（ステップＳ１９２）、変化毎にＰＲreg の値から１を減算していき（ステップＳ１９４）、ＰＲreg の値が０になるまでステップＳ１９２、Ｓ１９４の処理を繰り返す（ステップＳ１９６）。
但し、ステップＳ１９２において状態が変化しない場合には、安全タイマーのタイムアップに達したか否かが確認され（ステップＳ１９８）、タイムアップ前ならば処理はステップＳ１９２に戻り、タイムアップの時には処理はステップＳ２００に進む。
【０１１１】
ステップＳ１９８で安全タイマーがタイムアップした場合、又は、ステップＳ１９６においてフイルムが所定量搬送されてＰＲreg の値が「０」になると、フイルムモータ２３２をＯＦＦしてフイルム搬送を終了する（ステップＳ２００）。そして、該モータ２３２の両極を励磁してブレーキをかけた後（ステップＳ２０２）、モータ２３２への通電を遮断する（ステップＳ２０４）。その後、安全タイマーをリセットして（ステップＳ２０６）、図１５のメインルーチンに戻る（ステップＳ２０８）。
【０１１２】
続いて、パノラマで撮影を行った後、フイルム残量が０になる時の処理について説明する。
図２０に示すように、パノラマでのフイルム露光を行った後、フイルム給送処理を実行する場合（ステップＳ２２０）、標準サイズ換算でフイルム残量が１以下か否かを判別する（ステップＳ２２２）。そして、ノーマルでのフイルム残量が１以下の場合には、パノラマ撮影を行うことが出来ないと判断して、図１７に示した処理ステップＳ１１０に進む。即ち、フイルムカウンター２８に「１」を点滅表示して、パノラマ撮影不能である旨の警告をする。
【０１１３】
他方、パノラマでの残数が０であっても、ステップＳ２２２において標準サイズで撮影が可能であると判断した場合には、パノラマ設定下であっても、自動的に標準サイズの１コマ巻き戻し処理を実行し（ステップＳ２２４）、フイルムの有効利用を図っている。
上記実施の形態では、撮影レンズの交換動作に連動させて接眼レンズの切換を行う場合を例に説明したが、カメラに内蔵された撮影レンズの焦点距離切換機構によってワイド撮影とテレ撮影とを切り換えることができる焦点距離切換式カメラにおいて、撮影レンズの焦点距離の切換に連動させて接眼レンズの切換を行なうようにしてもよい。
【０１１４】
【発明の効果】
以上説明したように本発明に係るカメラのファインダー構造によれば、第１の接眼レンズと第２の接眼レンズとを折り曲げ自在に連結し、一方の接眼レンズをファインダー光軸内から退避させる際に、カメラの前後方向に折り曲げて退避させるようにしたので、簡単な機構でファインダー倍率に変更することができるとともに、カメラの横方向の寸法を小型化することができる。
【０１１５】
特に、撮影レンズの交換に連動して、視野内のフレーム切替を行いながらファインダー倍率を変えることにより、両者の相互作用によって撮影画角に合致した見やすいファインダー像を観察することが可能になる。
また、本発明によれば、採光式ブライトフレームファインダーにおいて、第１の接眼レンズと第２の接眼レンズとをカメラの水平方向にスライド自在に設け、両者を択一的にファインダー光軸上に挿脱可能に構成し、第２の接眼レンズをファインダー光軸上から退避させる際に採光光学系の後方のスペースに退避させるようにしたので、簡単な機構で撮影レンズの焦点距離に合わせて接眼レンズを切り替えることができるとともに、カメラの横方向の寸法を小さくすることができる。
【０１１６】
特に、上記採光式ブライトフレームファインダーにおいて、第１の接眼レンズと第２の接眼レンズとを折り曲げ自在に連結し、第１の接眼レンズをファインダー光軸上から退避させる際に、カメラの前後方向に折り曲げて退避させることにより、カメラの横方向の寸法を一層小さくすることができる。
【図面の簡単な説明】
【図１】本発明に係るカメラのファインダー構造が適用されたカメラの正面外観図
【図２】図１に示したカメラの上面外観図
【図３】図１に示したカメラの背面側の外観図
【図４】図１に示したカメラに組み込まれたファインダーの光学系の構成を示す平面図
【図５】接眼レンズ群の切替機構の平面図
【図６】接眼レンズ群の切替機構の正面側の要部構成図
【図７】図４に示したレチクル群５６の構成を示す図
【図８】図１に示したカメラ内部の要部構成図
【図９】アパーチュア切替機構の構成図
【図１０】カメラの電気的構成の概略を示すブロック図
【図１１】９０ｍｍレンズ装着時に接眼部から観察される視野の一例を示す図であり、（ａ）はパノラマサイズの無限遠の様子を示す図、（ｂ）はパノラマサイズの至近の様子を示す図
【図１２】９０ｍｍレンズ装着時に接眼部から観察される視野の一例を示す図であり、（ａ）は標準サイズの無限遠の様子を示す図、（ｂ）は標準サイズの至近の様子を示す図
【図１３】４５ｍｍレンズ装着時に接眼部から観察される視野の一例を示す図であり、（ａ）はパノラマサイズの無限遠の様子を示す図、（ｂ）はパノラマサイズの至近の様子を示す図
【図１４】４５ｍｍレンズ装着時に接眼部から観察される視野の一例を示す図であり、（ａ）は標準サイズの無限遠の様子を示す図、（ｂ）は標準サイズの至近の様子を示す図
【図１５】カメラの動作制御の流れを示すフローチャート
【図１６】停止状態からの起動処理の流れを示すフローチャート
【図１７】図１５に示したＰＮＳＷ処理の流れを示すフローチャート
【図１８】画面サイズ切替処理のサブルーチンを示すフローチャート
【図１９】一コマ送りのサブルーチンを示すフローチャート
【図２０】パノラマ撮影後の残量０の処理を説明するために用いたフローチャート
【符号の説明】
１…カメラ
２…撮影レンズ
６…レンズ鏡胴
８…ファインダー対物窓
１０…採光窓
３２…ファインダー接眼部
３４…画面切替つまみ
５６…レチクル群
６０…対物レンズ
６２…プリズム
６４…第１接眼レンズ
６６…第２接眼レンズ
７２…連結ピン
７８…プレート
７８ａ、７８ｂ…ガイド溝
８０…第１連結部材
８２…バネ
８４…第２連結部材
８６…第３連結部材
８８…第４連結部材
９１…第５連結部材
９４…第６連結部材
９９…爪
【図１】
0003987966.tif 000002
【図２】
0003987966.tif 000003
【図３】
0003987966.tif 000004
【図４】
0003987966.tif 000005
【図５】
0003987966.tif 000006
【図６】
0003987966.tif 000007
【図７】
0003987966.tif 000008
【図８】
0003987966.tif 000009
【図９】
0003987966.tif 000010
【図１０】
0003987966.tif 000011
【図１１】
0003987966.tif 000012
【図１２】
0003987966.tif 000013
【図１３】
0003987966.tif 000014
【図１４】
0003987966.tif 000015
【図１５】
0003987966.tif 000016
【図１６】
0003987966.tif 000017
【図１７】
0003987966.tif 000018
【図１８】
0003987966.tif 000019
【図１９】
0003987966.tif 000020
【図２０】
0003987966.tif 000021